Podtech/llm-jp-corpus-v4-ja_patent huggingface dataset:
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
診断対象となる医用画像の特定の領域について、注目所見の種別を表す情報を取得する注目所見取得手段であって、前記医用画像は複数の断層像を含み、前記種別はＧＵＩを介したユーザの操作入力により選択される注目所見取得手段と、
前記医用画像の複数の断層像の夫々について、前記注目所見取得手段により取得した注目所見の種別に対応する特徴量種別の画像特徴量を算出する特徴量算出手段であって、前記医用画像の第１の領域に対して第１の特徴量種別の画像特徴量を算出し、前記医用画像の前記第１の領域とは異なる第２の領域に対して前記第１の領域について算出された特徴量の特徴量種別とは異なる第２の特徴量種別の画像特徴量を算出する特徴量算出手段と、
前記特徴量算出手段により算出した画像特徴量に基づき、前記複数の断層像から１つの断層像を特定する断層像特定手段を有することを特徴とする画像処理装置。
【請求項２】
前記注目所見取得手段は、画像特徴量に基づいて注目所見を自動選択することを特徴とする請求項１に記載の画像処理装置。
【請求項３】
前記注目所見取得手段は、ユーザにより入力された画像所見を注目所見として取得することを特徴とする請求項１に記載の画像処理装置。
【請求項４】
前記注目所見取得手段は、複数の注目所見を入力して診断名を推論する推論手段をさらに有し、前記推論手段における推論への寄与度に基づいて前記複数の注目所見から１つの注目所見を選択することを特徴とする請求項１に記載の画像処理装置。
【請求項５】
前記注目所見取得手段は、ユーザの選択により注目所見を取得することを特徴とする請求項１に記載の画像処理装置。
【請求項６】
前記医用画像に対して複数の注目所見候補を表示するように表示手段を制御する表示制御手段をさらに有し、前記注目所見取得手段は、前記表示された複数の注目所見候補から、ユーザの操作により注目所見を取得することを特徴とする請求項１に記載の画像処理装置。
【請求項７】
前記特定された断層像において関心領域を表示するように表示手段を制御する表示制御手段をさらに有することを特徴とする請求項１に記載の画像処理装置。
【請求項８】
前記特定された断層像の全体を表示するように表示手段を制御する表示制御手段をさらに有することを特徴とする請求項１に記載の画像処理装置。
【請求項９】
診断対象となる医用画像の特定の領域について、注目所見の種別を表す情報を取得する注目所見取得工程であって、前記医用画像は複数の断層像を含み、前記種別はＧＵＩを介したユーザの操作入力により選択される注目所見取得工程と、
前記医用画像の複数の断層像の夫々について、前記取得した注目所見の種別に対応する特徴量種別の画像特徴量を算出する特徴量算出工程であって、前記医用画像の第１の領域に対して第１の特徴量種別の画像特徴量を算出し、前記医用画像の前記第１の領域とは異なる第２の領域に対して前記第１の領域について算出された特徴量の特徴量種別とは異なる第２の特徴量種別の画像特徴量を算出する特徴量算出工程と、
前記算出した画像特徴量に基づき、前記複数の断層像から１つの断層像を特定する断層像特定工程を有することを特徴とする画像処理方法。
【請求項１０】
請求項１〜８のいずれか１項に記載の画像処理装置をコンピュータで実現するためのコンピュータプログラム。
【請求項１１】
請求項１０に記載のコンピュータプログラムを記憶した記憶媒体。
【手続補正２】
【補正対象書類名】明細書
【補正対象項目名】０００６
【補正方法】変更
【補正の内容】
【０００６】
本発明は上記の課題を鑑みてなされたものであり、３次元医用画像データから、取得された所見の特徴を表す断層像を選択し、表示するようにしたものである。すなわち本発明は、診断対象となる医用画像の特定の領域について、注目所見の種別を表す情報を取得する注目所見取得手段であって、前記医用画像は複数の断層像を含み、前記種別はＧＵＩを介したユーザの操作入力により選択される注目所見取得手段と、前記医用画像の複数の断層像の夫々について、前記取得した注目所見の種別に対応する特徴量種別の画像特徴量を算出する特徴量算出手段であって、前記医用画像の第１の領域に対して第１の特徴量種別の画像特徴量を算出し、前記医用画像の前記第１の領域とは異なる第２の領域に対して前記第１の領域について算出された特徴量の特徴量種別とは異なる第２の特徴量種別の画像特徴量を算出する特徴量算出手段と、前記算出した画像特徴量に基づき、前記複数の断層像から１つの断層像を特定する断層像特定手段を有することを特徴とする画像処理装置を提供する。
【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
画像内に含まれる注目領域を複数の分類項目に分類する画像処理装置において、
前記注目領域の少なくとも一部を検出して初期領域として設定する初期領域検出手段と、
前記初期領域を拡張することにより拡張領域を検出する拡張領域検出手段と、
前記初期領域及び前記拡張領域の特徴量を算出し、該特徴量に基づいて、前記注目領域が前記複数の分類項目の内のいずれに相当するかを判定する領域判定手段と、
を備えることを特徴とする画像処理装置。
【請求項２】
前記領域判定手段は、
前記初期領域における特徴量を算出する初期領域特徴量算出手段と
前記拡張領域における特徴量を算出する拡張領域特徴量算出手段と、
前記初期領域特徴量と前記拡張領域特徴量の差分を算出する差分算出手段と、
を備え、
前記差分を基に前記注目領域の分類項目を判定することを特徴とする請求項１に記載の画像処理装置。
【請求項３】
前記初期領域特徴量算出手段は、前記初期領域における色特徴量の平均値を算出することを特徴とする請求項２に記載の画像処理装置。
【請求項４】
前記初期領域特徴量算出手段は、前記初期領域における色特徴量の最小値を算出することを特徴とする請求項２に記載の画像処理装置。
【請求項５】
前記拡張領域特徴量算出手段は、前記拡張領域における色特徴量の平均値を算出することを特徴とする請求項２に記載の画像処理装置。
【請求項６】
前記拡張領域特徴量算出手段は、前記拡張領域内の前記初期領域以外の領域を抽出し、該領域における色特徴量の平均値を算出することを特徴とする請求項２に記載の画像処理装置。
【請求項７】
前記拡張領域特徴量算出手段は、前記拡張領域の輪郭部における色特徴量の平均値を算出することを特徴とする請求項２に記載の画像処理装置。
【請求項８】
前記領域判定手段は、
前記拡張領域の内部領域における特徴量を算出する拡張領域内特徴量算出手段と、
前記拡張領域の外部領域における特徴量を算出する拡張領域外特徴量算出手段と、
前記拡張領域内特徴量と前記拡張領域外特徴量の差分を算出する差分算出手段と、
を備え、
前記差分を基に前記注目領域の分類項目を判定することを特徴とする請求項１に記載の画像処理装置。
【請求項９】
前記拡張領域内特徴量算出手段は、
前記画像内の各画素から前記拡張領域の輪郭までの距離に対応する値を前記各画素の画素値とする距離画像を作成する距離画像作成手段を備え、
前記距離画像を基に前記内部領域を設定することを特徴とする請求項８に記載の画像処理装置。
【請求項１０】
前記拡張領域内特徴量算出手段は、
前記距離画像内の前記拡張領域内部に対応する領域に対して閾値処理を行う閾値処理手段を備え、
前記閾値処理により抽出された領域を前記内部領域として設定することを特徴とする請求項９に記載の画像処理装置。
【請求項１１】
前記拡張領域内特徴量算出手段は、前記距離画像内の前記拡張領域内部に対応する領域において所定の範囲内の画素値を有する画素の領域を検出し、該画素の領域を前記内部領域として設定することを特徴とする請求項９に記載の画像処理装置。
【請求項１２】
前記拡張領域内特徴量算出手段は、前記内部領域における色特徴量の平均値を算出する平均色特徴量算出手段を備えることを特徴とする請求項８に記載の画像処理装置。
【請求項１３】
前記拡張領域外特徴量算出手段は、
前記画像内の各画素から前記拡張領域の輪郭までの距離に対応する値を前記各画素の画素値とする距離画像を作成する距離画像作成手段を備え、
前記距離画像を基に前記外部領域を設定することを特徴とする請求項８に記載の画像処理装置。
【請求項１４】
前記拡張領域外特徴量算出手段は、
前記距離画像内の前記拡張領域外部に対応する領域に対して閾値処理を行う閾値処理手段を備え、
前記閾値処理により抽出された領域を前記外部領域として設定することを特徴とする請求項１３に記載の画像処理装置。
【請求項１５】
前記拡張領域外特徴量算出手段は、前記距離画像内の前記拡張領域外部に対応する領域において所定の範囲内の画素値を有する画素の領域を検出し、該画素の領域を前記外部領域として設定することを特徴とする請求項１３に記載の画像処理装置。
【請求項１６】
前記拡張領域外特徴量算出手段は、前記外部領域における色特徴量の平均値を算出する平均色特徴量算出手段を備えることを特徴とする請求項８に記載の画像処理装置。
【請求項１７】
前記画像は、被検体の管腔内を撮像した管腔内画像であり、
前記複数の分類項目は、前記注目領域の面積が閾値よりも大きい領域、及び前記注目領域の面積が前記閾値以下である領域、であることを特徴とする請求項１に記載の画像処理装置。
【請求項１８】
前記画像は、被検体の管腔内を撮像した管腔内画像であり、
前記複数の分類項目は、前記注目領域の色特徴量と該注目領域の周囲の色特徴量との差が閾値よりも大きい領域、及び、前記注目領域の色特徴量と該注目領域の周囲の色特徴量との差が前記閾値以下である領域、であることを特徴とする請求項１に記載の画像処理装置。
【請求項１９】
前記拡張領域検出手段は、
前記初期領域を統合領域の初期状態として設定して、前記統合領域に対して該統合領域に隣接する所定の隣接領域を統合する統合処理を行い、
前記統合領域に隣接する隣接領域を特定する隣接領域特定手段と、
前記統合領域及び前記隣接領域の特徴量を算出し、該特徴量に基づいて、前記隣接領域を前記統合領域に統合するか否かを判定する統合判定手段と、
前記統合領域の面積が所定の大きさ以上になった場合に、前記隣接領域の前記統合領域への統合処理を終了する判定を行う終了判定手段と、
を備えることを特徴とする請求項１に記載の画像処理装置。
【請求項２０】
画像内に含まれる注目領域を複数の分類項目に分類する画像処理方法において、
前記注目領域の少なくとも一部を検出して初期領域として設定する初期領域検出ステップと、
前記初期領域を拡張することにより拡張領域を検出する拡張領域検出ステップと、
前記初期領域及び前記拡張領域の特徴量を算出し、該特徴量に基づいて前記注目領域が前記複数の分類項目の内のいずれに相当するかを判定する領域判定ステップと、
を含むことを特徴とする画像処理方法。
【請求項２１】
画像内に含まれる注目領域を複数の分類項目に分類する処理をコンピュータに実行させる画像処理プログラムにおいて、
前記注目領域の少なくとも一部を検出して初期領域として設定する初期領域検出ステップと、
前記初期領域を拡張することにより拡張領域を検出する拡張領域検出ステップと、
前記初期領域及び前記拡張領域の特徴量を算出し、該特徴量に基づいて前記注目領域が前記複数の分類項目の内のいずれに相当するかを判定する領域判定ステップと、
を含むことを特徴とする画像処理プログラム。
【手続補正書】
【提出日】平成26年6月23日(2014.6.23)
【手続補正１】
【補正対象書類名】明細書
【補正対象項目名】０００５
【補正方法】変更
【補正の内容】
【０００５】
上記の目的を達成するために本発明の画像処理装置は、複数の視点から被写体を撮像して得られた複数の撮像画像データを入力する画像入力手段と、前記複数の撮像画像データを用いて出力画像データを生成する生成手段とを有し、前記生成手段は、前記出力画像データにおいて、所定の距離よりも手前に存在する被写体に対応する第一の画像領域と、前記所定の距離よりも奥に存在する被写体に対応する第二の画像領域とで、異なる数の撮像画像データを用いて前記出力画像データを生成することを特徴とする画像処理装置。
【手続補正２】
【補正対象書類名】特許請求の範囲
【補正対象項目名】全文
【補正方法】変更
【補正の内容】
【特許請求の範囲】
【請求項１】
複数の視点から被写体を撮像して得られた複数の撮像画像データを入力する画像入力手段と、
前記複数の撮像画像データを用いて出力画像データを生成する生成手段とを有し、
前記生成手段は、前記出力画像データにおいて、所定の距離よりも手前に存在する被写体に対応する第一の画像領域と、前記所定の距離よりも奥に存在する被写体に対応する第二の画像領域とで、異なる数の撮像画像データを用いて前記出力画像データを生成することを特徴とする画像処理装置。
【請求項２】
ピント距離を示すピントパラメータを入力するパラメータ入力手段を更に有し、
前記生成手段は、前記出力画像データにおいて、前記ピント距離よりも手前に存在する被写体に対応する第一の画像領域と、前記ピント距離よりも奥に存在する被写体に対応する第二の画像領域とで異なる数の撮像画像データを用いて、前記出力画像データとして、前記ピントパラメータが示すピント距離にピントが合った画像データを生成することを特徴とする請求項１に記載の画像処理装置。
【請求項３】
前記被写体までの距離を示す距離情報を取得する取得手段と、
前記距離情報と前記ピントパラメータとに基づいて、前記第一の画像領域と前記第二の画像領域とを特定する特定手段とを更に有し、
前記生成画像データは、前記特定手段により特定された前記第一の画像領域と前記第二の画像領域とに基づいて、前記出力画像データを生成することを特徴とする請求項２に記載の画像処理装置。
【請求項４】
前記取得手段は、前記複数の撮像画像データに基づいて前記距離情報を取得することを特徴とする請求項３に記載の画像処理装置。
【請求項５】
前記生成手段は、前記第一の画像領域において、前記第二の画像領域において前記出力画像データの生成に用いる撮像画像データの数よりも多くの数の撮像画像データを用いて、前記出力画像データを生成することを特徴とする請求項１乃至４のいずれか１項に記載の画像処理装置。
【請求項６】
前記生成手段は、前記第一の画像領域において少なくとも２つの撮像画像データを用いて、更に、前記第二の画像領域において１つの撮像画像データを用いて前記出力画像データを生成することを特徴とする請求項５に記載の画像処理装置。
【請求項７】
前記生成手段は、前記第二の画像領域において、撮像画像データにぼけを付与するフィルタ処理を行うことにより前記出力画像データを生成することを特徴とする請求項１乃至６のいずれか１項に記載の画像処理装置。
【請求項８】
前記生成手段は、前記第一の画像領域において、複数の撮像画像データをシフトさせ、重み付き加算することにより、前記出力画像データを生成することを特徴とする請求項１乃至７のいずれか１項に記載の画像処理装置。
【請求項９】
前記出力画像データのぼけ量にかかる絞りパラメータを入力する手段を更に有し、
前記生成手段は、前記絞りパラメータに基づいて前記出力画像データを生成することを特徴とする請求項１乃至８のいずれか１項に記載の画像処理装置。
【請求項１０】
請求項１乃至９のいずれか一項に記載の画像処理装置としての機能を有し、前記複数の撮像画像データを撮像する複数の撮像部を有することを特徴とする撮像装置。
【請求項１１】
複数の視点から被写体を撮像して得られた複数の撮像画像データを入力する画像入力工程と、
前記複数の撮像画像データを用いて出力画像データを生成する生成工程とを含み、
前記生成工程では、前記出力画像データにおいて、所定の距離よりも手前に存在する被写体に対応する第一の画像領域と、前記所定の距離よりも奥に存在する被写体に対応する第二の画像領域とで、異なる数の撮像画像データを用いて前記出力画像データを生成することを特徴とする画像処理方法。
【請求項１２】
コンピュータを請求項１乃至９のいずれか１項に記載の画像処理装置として機能させるためのプログラム。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
モータに駆動信号を印加することで可動部を移動させる駆動手段と、
前記可動部の基準位置を検出するための基準位置情報、および、前記可動部の振動状態を検出するための振動情報を出力する検出手段から出力される情報に基づいて前記駆動手段を制御する制御手段と、を有するモータ制御装置であって、
前記基準位置情報及び前記振動情報は、前記可動部の移動に応じて変化する情報であり、前記基準位置情報の出力の変化率は、前記振動情報の出力の変化率とは異なり、
前記制御手段は、前記基準位置情報に基づいて前記可動部の基準位置を設定し、前記振動情報に基づいて、前記可動部の振動量が低減されるように前記駆動信号を補正することを特徴とするモータ制御装置。
【請求項２】
前記基準位置情報の出力の変化率は、前記振動情報の出力の変化率よりも大きいことを特徴とする請求項１に記載のモータ制御装置。
【請求項３】
前記制御手段は、前記可動部が一定の速度で移動している間、所定の時間間隔ごとに前記振動情報を取得し、前記振動情報の出力の変化率が一定になるように前記駆動信号を補正することを特徴とする請求項１または２に記載のモータ制御装置。
【請求項４】
前記モータはステッピングモータであることを特徴とする請求項１乃至３のいずれか１項に記載のモータ制御装置。
【請求項５】
前記制御手段は、前記ステッピングモータに印加する各相の励磁信号の位相を補正することを特徴とする請求項４に記載のモータ制御装置。
【請求項６】
前記制御手段は、前記ステッピングモータに印加する各相の励磁信号の振幅を補正することを特徴とする請求項４に記載のモータ制御装置。
【請求項７】
前記制御手段は、前記ステッピングモータに印加する各相の励磁信号の形状が０度位置に対する１８０度位置をずらした三角関数形状になるように補正することを特徴とする請求項４に記載のモータ制御装置。
【請求項８】
前記制御手段は、前記可動部の基準位置を検出するための初期化処理を行う間に、前記振動情報を取得することを特徴とする請求項４乃至７のいずれか１項に記載のモータ制御装置。
【請求項９】
前記検出手段は、発光素子と受光素子と、該発光素子と該受光素子との間に配置され、前記可動部と一体的に移動する遮光部を備え、
前記発光素子から出射する光の少なくとも一部が前記遮光部により遮光されることで前記受光素子に到達する光量が変化し、
前記制御手段は、前記光量の変化を検出することで前記可動部の位置情報を取得することを特徴とする請求項１乃至８のいずれか１項に記載のモータ制御装置。
【請求項１０】
前記遮光部は、該遮光部の移動方向の一方の端を含む第１の領域と、前記移動方向の他方の端を含む第２の領域と、前記第１の領域と前記第２の領域の間に設けられた第３の領域を有し、
前記発光素子から出射した光が前記第１の領域によって遮光されているときにおける、前記可動部の移動量に対する前記光量の変化率は、前記発光素子から出射した光が前記第３の領域によって遮光されているときにおける前記光量の変化率よりも大きく、
前記発光素子から出射した光が前記第２の領域によって遮光されているときにおける、前記可動部の移動量に対する前記光量の変化率は、前記発光素子から出射した光が前記第３の領域によって遮光されているときにおける前記光量の変化率よりも大きく、
前記制御手段は、前記光量の変化率に基づいて前記駆動手段の制御を行い、前記発光素子から出射した光が前記第３の領域によって遮光されているときにおける前記可動部の位置情報に基づいて、前記可動部の基準位置を検出することを特徴とする請求項９に記載のモータ制御装置。
【請求項１１】
請求項１乃至１０のいずれか１項に記載のモータ制御装置と、ステッピングモータを有することを特徴とする光学機器。
【手続補正２】
【補正対象書類名】明細書
【補正対象項目名】０００９
【補正方法】変更
【補正の内容】
【０００９】
本発明の一側面としてのモータ制御装置は、モータに駆動信号を印加することで可動部を移動させる駆動手段と、前記可動部の基準位置を検出するための基準位置情報、および、前記可動部の振動状態を検出するための振動情報を出力する検出手段から出力される情報に基づいて前記駆動手段を制御する制御手段と、を有するモータ制御装置であって、前記基準位置情報及び前記振動情報は、前記可動部の移動に応じて変化する情報であり、前記基準位置情報の出力の変化率は、前記振動情報の出力の変化率とは異なり、前記制御手段は、前記基準位置情報に基づいて前記可動部の基準位置を設定し、前記振動情報に基づいて、前記可動部の振動量が低減されるように前記駆動信号を補正する。
【手続補正３】
【補正対象書類名】明細書
【補正対象項目名】００１０
【補正方法】削除
【補正の内容】
【手続補正書】
【提出日】平成26年6月9日(2014.6.9)
【手続補正１】
【補正対象書類名】特許請求の範囲
【補正対象項目名】全文
【補正方法】変更
【補正の内容】
【特許請求の範囲】
【請求項１】
光源と、前記光源の発光を伝達する第１の導光体と、が設けられた第１の部材と、
受光部と、前記受光部からの発光を伝達する第２の導光体と、が設けられた第２の部材と、を有し、
前記第１の部材は、前記光源の発光を外部に射出する第１の発光部を有し、前記第１の発光部は、前記第１の導光体によって伝達された光を射出し、
前記第２の部材は、前記受光部において、前記第１の発光部からの光を受光し、前記第２の導光体によって、前記受光部からの光を外部に射出する第２の発光部を有し、
前記第１の発光部と前記受光部とを組み合わせることにより関節部が形成され、
前記第１の発光部を前記受光部から外し、前記第２の部材を前記第１の導光体から分割することができる人形体。
【請求項２】
請求項１において、
前記第１の発光部と前記受光部は、前記第１の部材と前記第２の部材とが相対的に回転可能となるように接合されている人形体。
【請求項３】
請求項１または請求項２において、
前記第１の発光部は、ボール形状であり、前記受光部は、前記ボール形状を受ける内室形状であり、前記第１の発光部と前記受光部とを接合することにより、ボールジョイント関節が完成する人形体。
【請求項４】
請求項１乃至請求項３のいずれか一項において、
前記第１の部材は、前記光源からの発光を外部に射出する第３の発光部を有し、前記光源と前記第３の発光部との間に、前記光源の光を反射させる反射材が設けられている人形体。
【請求項５】
請求項１乃至請求項４のいずれか一項において、
前記第１の部材は、人形体の胴体部であり、前記第２の部材は、人形体の頭部である人形体。
【手続補正２】
【補正対象書類名】明細書
【補正対象項目名】０００６
【補正方法】変更
【補正の内容】
【０００６】
本発明の人形体は、光源と、光源の発光を伝達する第１の導光体と、が設けられた第１の部材と、受光部と、受光部からの発光を伝達する第２の導光体と、が設けられた第２の部材と、を有し、第１の部材は、光源の発光を外部に射出する第１の発光部を有し、第１の発光部は、第１の導光体によって伝達された光を射出し、第２の部材は、受光部において、第１の発光部からの光を受光し、第２の導光体によって、受光部からの光を外部に射出する第２の発光部を有し、第１の発光部と受光部とを組み合わせることにより関節部が形成され、第１の発光部を受光部から外し、第２の部材を前記第１の導光体から分割することができる。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる循環表示手段と、
開始指令を発生させるべく操作される開始操作手段と、
役の抽選を行う抽選手段と、
前記絵柄の循環表示を停止させるべく操作される停止操作手段と、
前記開始指令の発生に基づいて前記絵柄の循環表示を開始させるとともに、前記停止操作手段の操作に基づいて前記絵柄の循環表示を停止させるように、前記循環表示手段を表示制御する表示制御手段と、
前記役の抽選に当選した当選役と対応する当選絵柄が有効位置に所定の組合せを形成して停止した場合、入賞成立として遊技者に特典を付与する特典付与手段と
を備え、
前記開始指令の発生に基づいて遊技が開始され、前記絵柄の循環表示が停止したこと、又は前記特典を付与したことに基づいて遊技が終了される遊技機において、
前記遊技を行う場合に遊技媒体の賭数を設定する賭数設定手段と、
前記賭数設定手段が第１賭数を設定した状況で前記開始操作手段が操作された場合と、前記賭数設定手段が第２賭数を設定した状況で前記開始操作手段が操作された場合と、に前記開始指令が発生したと判定する開始判定手段と、
前記第１賭数で遊技が開始された場合、第１条件が成立したか否かを判定する第１判定手段と、
前記第２賭数で遊技が開始された場合、第２条件が成立したか否かを判定する第２判定手段と、
所定遊技期間に前記第１条件と前記第２条件が共に成立した場合、遊技者に特別特典を付与する特別特典付与手段と
を備えたことを特徴とする遊技機。
【請求項２】
前記第２賭数で遊技が開始された場合、前記第１条件が成立しない構成としたことを特徴とする請求項１に記載の遊技機。
【請求項３】
前記第１賭数で遊技が開始された場合、前記第２条件が成立しない構成としたことを特徴とする請求項１又は請求項２に記載の遊技機。
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
基台と、基台の上に水平方向に移動可能に配置された移動台と、被検者眼の所定部位を撮影するための撮影光学系を備え前記移動台の上に配置された撮影部と、移動台に対して撮影部を３次元方向に移動させる駆動機構と、
被検眼からの反射光を受光するセンサを有し、センサからの受光信号に基づいて被検者眼に対する撮影部のアライメントずれを検出するアライメントずれ検出手段と、
前記アライメントずれ検出手段からの検出結果に基づいて駆動機構を制御すると共に、前記撮影光学系を作動させて前記所定部位の静止画像を複数枚取得する制御手段と、
前記撮影光学系の作動前において、前記駆動機構による撮影部の可動範囲を第１の可動範囲に制限する一方、前記撮影光学系の作動中において、前記撮影部の初期位置からの移動方向に関して前記可動範囲を第２の可動範囲に広げる可動範囲変更手段を備えることを特徴とする眼科撮影装置。
【請求項２】
前記可動範囲変更手段は、水平方向に関して、前記駆動機構による撮影部の可動範囲を第１の可動範囲から第２の可動範囲に変更する請求項１の眼科撮影装置。
【請求項３】
前記移動台に対する前記撮影部の位置を検出するためのセンサを有し、前記可動範囲変更手段は、前記センサの検出信号に基づいて第１の可動範囲に関して駆動機構の駆動を停止する請求項１〜２のいずれかの眼科撮影装置。
【手続補正２】
【補正対象書類名】明細書
【補正対象項目名】０００９
【補正方法】変更
【補正の内容】
【０００９】
（１）
基台と、基台の上に水平方向に移動可能に配置された移動台と、被検者眼の所定部位を撮影するための撮影光学系を備え前記移動台の上に配置された撮影部と、移動台に対して撮影部を３次元方向に移動させる駆動機構と、
被検眼からの反射光を受光するセンサを有し、センサからの受光信号に基づいて被検者眼に対する撮影部のアライメントずれを検出するアライメントずれ検出手段と、
前記アライメントずれ検出手段からの検出結果に基づいて駆動機構を制御すると共に、前記撮影光学系を作動させて前記所定部位の静止画像を複数枚取得する制御手段と、
前記撮影光学系の作動前において、前記駆動機構による撮影部の可動範囲を第１の可動範囲に制限する一方、前記撮影光学系の作動中において、前記撮影部の初期位置からの移動方向に関して前記可動範囲を第２の可動範囲に広げる可動範囲変更手段を備えることを特徴とする。
（２）  前記可動範囲変更手段は、水平方向に関して、前記駆動機構による撮影部の可動範囲を第１の可動範囲から第２の可動範囲に変更する（１）の眼科撮影装置。
（３）  前記移動台に対する前記撮影部の位置を検出するためのセンサを有し、前記可動範囲変更手段は、前記センサの検出信号に基づいて第１の可動範囲に関して駆動機構の駆動を停止する（１）〜（２）のいずれかの眼科撮影装置。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
遊技機の遊技領域を前面によって形成する遊技板に遊技部品を装着してなる遊技盤の作製工程において、該遊技板に施される加工の位置を案内することが可能な案内具であって、
前記遊技板に対して前記加工の位置を案内することが可能な案内体勢とされたときに、当該加工の位置に沿って位置する案内部と、
前記案内体勢において前記遊技板の上面または下面に対向する第１対向部と、
前記案内体勢において前記遊技板の一方の側面に対向する第２対向部と、
前記案内体勢において前記遊技板の上辺または下辺に対し外方へ向けて突出または内方へ向けて凹入する第１把手部と、
前記案内体勢において前記遊技板の一方の側辺に対し外方へ向けて突出または内方へ向けて凹入する第２把手部と、
を備えることを特徴とする遊技盤の加工位置案内具。
【請求項２】
請求項１に記載の遊技盤の加工位置案内具を用いて遊技盤に加工を施すことを特徴とする遊技盤の製造方法。
【請求項３】
請求項２に記載の遊技盤の製造方法により作製されたものであることを特徴とする遊技盤。
【請求項４】
請求項３に記載の遊技盤を備えることを特徴とする遊技機。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
被験者のバイタルサインを検出して、バイタルデータとして出力するバイタルサイン検出部と、
前記バイタルサインの検出時における前記被験者の行動、前記被験者の位置、および前記被験者がおかれた環境の少なくとも一つを表す支援情報を検出して、支援データとして出力する支援情報検出部と、
前記支援データに基づいて前記バイタルデータが有効であるか否かの評価を行うデータ評価部と、を含むバイタルサイン計測装置。
【請求項２】
請求項１に記載のバイタルサイン計測装置において、
前記バイタルサイン検出部に検出開始を指示する検出タイミング制御部を含み、
前記検出タイミング制御部は、
前記データ評価部から前記評価の結果を受け取り、
前記バイタルデータが有効でないと評価された場合に、前記バイタルサイン検出部に再び前記検出開始を指示するバイタルサイン計測装置。
【請求項３】
請求項１または２に記載のバイタルサイン計測装置において、
前記支援情報検出部は、
前記被験者の動きを検出するセンサーを含むバイタルサイン計測装置。
【請求項４】
請求項１乃至３のいずれか一項に記載のバイタルサイン計測装置において、
前記支援情報検出部は、
前記被験者の音声を検出する音声検出部を含むバイタルサイン計測装置。
【請求項５】
請求項１乃至４のいずれか一項に記載のバイタルサイン計測装置において、
前記支援情報検出部は、
前記被験者の位置を検出する位置検出部を含むバイタルサイン計測装置。
【請求項６】
請求項１乃至５のいずれか一項に記載のバイタルサイン計測装置において、
前記バイタルデータおよび前記支援データを記憶する記憶部を含むバイタルサイン計測
装置。
【請求項７】
請求項１乃至６のいずれか一項に記載のバイタルサイン計測装置において、
無線で前記バイタルデータおよび前記支援データに基づくデータを送信する無線通信部を含むバイタルサイン計測装置。
【請求項８】
被験者のバイタルサインを検出するバイタルサイン検出部から出力されるバイタルデータと、前記バイタルサインの検出時における前記被験者の行動、前記被験者の位置、および前記被験者がおかれた環境の少なくとも一つを表す支援情報を検出する支援情報検出部から出力される支援データと、を受け取り、
前記支援データに基づいて前記バイタルデータが有効であるか否かの評価をコンピューターに実行させる、バイタルサイン計測プログラム。
【請求項９】
請求項８に記載のバイタルサイン計測プログラムを記録したコンピューター読み取り可能な記録媒体。
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
樹脂を含有してなる樹脂含有層を含んで構成される外側層と、該外側層の内側に配置された金属を含有してなる金属含有層とを有するセルシートを備え、該セルシートの少なくとも一部に高温処理が施される遊技機であって、
前記セルシートにおいて高温処理が施される領域に、前記外側層を貫通して該外側層の外側面から少なくとも前記金属含有層の外側面まで延びる通気孔が穿設されていることを特徴とする遊技機。
【請求項２】
前記高温処理が、ドットを配列して構成される識別コードを刻印する処理であり、
前記通気孔の開口面積が、前記識別コード１ドットの面積の１／３以下であることを特徴とする請求項１に記載の遊技機。
【請求項３】
前記高温処理が、ドットを配列して構成される識別コードを刻印する処理であり、
前記通気孔の開口面積が、前記識別コード１ドットの面積の１／１００より大であることを特徴とする請求項１または請求項２に記載の遊技機。
【請求項４】
前記高温処理が、ドットを配列して構成される識別コードを刻印する処理であり、
前記通気孔間の間隔が、前記識別コード１ドットの寸法よりも大きいことを特徴とする請求項１から請求項３のいずれかに記載の遊技機。
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
脈動流を噴射する脈動発生部と、
流体を保有可能なポンプ室と、
前記ポンプ室の容積を変更させて前記脈動発生部に流体を供給するポンプ室容積変更手段と、
前記脈動発生部を駆動する脈動流駆動信号を前記脈動発生部に入力し、かつ、前記ポンプ室容積変更手段を駆動する流体供給駆動信号を前記ポンプ室容積変更手段に入力する駆動制御部と、
前記駆動制御部に作動指令を入力する作動指令入力部と、を有し、
前記流体供給駆動信号と前記脈動流駆動信号とが、前記作動指令の入力に連動して入力され、
前記駆動制御部は、
前記作動指令が入力されていない場合、又は前記ポンプ室の容積が第１容積量に到達し、かつ、前記作動指令が入力されている場合には、前記第１容積量よりも大きな第２容積量へ向かって前記ポンプ室の容積を増加させ、
前記ポンプ室の容積が第１容積量に到達しておらず、かつ、前記作動指令が入力されている場合には、前記ポンプ室の容積を前記第１容積量へ向かって減少させるように、前記流体供給駆動信号を用いて前記ポンプ室容積変更手段を駆動することを特徴とする流体噴射装置。
【請求項２】
請求項１に記載の流体噴射装置において、
前記流体を前記ポンプ室内に吸入する該ポンプ室の容積増加速度が、前記流体を前記ポンプ室から送出する該ポンプ室の容積減少速度よりも速いことを特徴とする流体噴射装置。
【請求項３】
請求項１又は２に記載の液体噴射装置において、
前記駆動制御部は、前記ポンプ室から前記脈動発生部への流体の供給を開始した後に前記脈動発生部での脈動流の生成を開始させ、かつ、前記脈動発生部での脈動流の生成を停止した後に前記ポンプ室から前記脈動発生部への流体の供給を停止させることを特徴とする流体噴射装置。
【請求項４】
請求項１〜３のいずれか一項に記載の液体噴射装置において、
前記流体供給部は、
前記ポンプ室内に保有された前記流体の保有容量が前記第２容積量に達したことを検出する第２容積量検出センサーと、
前記保有容量が前記第１容積量に達したことを検出する第１容積量検出センサーと、
前記保有容量が前記第１容積量と前記第２容積量との間の任意の位置に達したことを検出するランダムレベル検出センサーと、
を備えることを特徴とする流体噴射装置。
【請求項５】
請求項１〜４のいずれか一項に記載の液体噴射装置において、
前記第１容積量は、前記ポンプ室の容積が最小となる値であり、
前記第２容積量は、前記ポンプ室の容積が最大となる値であることを特徴とする流体噴射装置。
【請求項６】
請求項１〜５のいずれか一項に記載の液体噴射装置において、
前記ポンプ室は、
プランジャーと、
前記プランジャーを内挿するシリンダーと、
で形成され、
前記ポンプ室容積変更手段は、前記プランジャーを前記シリンダー内で移動させるプランジャー駆動手段であることを特徴とする流体噴射装置。
【請求項７】
請求項１〜６のいずれか一項に記載の液体噴射装置において、
前記作動指令入力部は、開閉器、フットスイッチ及び音声認識装置のうち少なくとも１つを含むことを特徴とする流体噴射装置。
【請求項８】
請求項１〜７のいずれか一項に記載の流体噴射装置を用いたことを特徴とする医療機器。
【手続補正書】
【提出日】平成26年6月12日(2014.6.12)
【手続補正１】
【補正対象書類名】特許請求の範囲
【補正対象項目名】全文
【補正方法】変更
【補正の内容】
【特許請求の範囲】
【請求項１】
静電噴霧される物質に対して電気的に作用することにより、当該物質を静電噴霧するスプレー部位と、
上記スプレー部位と電気的に接続可能なスプレー電極と、基準電極と、電源装置とを備え、
上記基準電極は、上記スプレー電極と当該基準電極との間に電圧が印加されたときに、上記静電噴霧される物質が上記スプレー部位から噴霧されるように配置されており、
上記電源装置は、上記スプレー電極と上記基準電極との間に電圧を印加し、上記スプレー部位の電気的特性を監視できるとともに、監視された上記スプレー部位の電気的特性に基づいて上記スプレー電極と上記基準電極との間に印加される電圧を調節することができ、
さらに、上記スプレー部位から噴霧される物質の電荷が、少なくとも同量の逆の極性の電荷が上記基準電極において生成されることにより平衡化されるように、上記スプレー電極および上記基準電極が配置され、
上記電源装置は、上記基準電極における電流を測定することにより上記スプレー部位における電流を監視することを特徴とする静電噴霧装置。
【請求項２】
荷電粒子の少なくとも一部が上記基準電極に到達しないように、上記スプレー部位から噴霧される物質を、上記静電噴霧装置から遠ざける方向制御手段をさらに備えることを特徴とする請求項１に記載の静電噴霧装置。
【請求項３】
上記方向制御手段は、上記スプレー部位の近傍に配置された誘電体をさらに備え、噴霧時に、噴霧される物質の極性と同じ電荷が、上記誘電体の側面における上記スプレー部位の近傍に蓄積され、その電荷は、上記スプレー部位から噴霧される物質を、上記静電噴霧装置から遠ざけ、
上記誘電体は、上記スプレー電極と上記基準電極との間に配置されていることを特徴とする請求項２に記載の静電噴霧装置。
【請求項４】
上記電源装置は、制御回路をさらに備え、
上記制御回路は、少なくとも１つの電圧制御信号を供給するマイクロプロセッサを備え、
上記電圧制御信号は、上記電源装置によって上記スプレー電極と上記基準電極との間に印加される電圧の特性を決定するものであり、
上記マイクロプロセッサは、上記電源装置によって監視された電流または電圧の値を処理することにより上記電圧制御信号を供給し、
上記制御回路による処理は、周囲の環境条件に関する少なくとも１つの電圧制御信号を補償するように設定されており、
上記環境条件には、温度、湿度および／または大気圧、および／または噴霧量が含まれ、
上記制御回路は、上記電源装置によって印加される電圧の間隔、デューティーサイクル、振幅またはオンーオフ時間のいずれか、またはその組み合わせを変化させることにより補償を行うことができることを特徴とする請求項１〜３のいずれか１項に記載の静電噴霧装置。
【請求項５】
第１スプレー部位において噴霧される物質の極性とは逆の極性の電荷を有する物質を噴霧する第２スプレー部位をさらに備え、
上記基準電極は、上記第２スプレー部位と電気的に接続され、
上記第１スプレー部位は、上記スプレー電極によって第１の極性に帯電されており、
上記第２スプレー部位は、上記基準電極によって上記第１の極性とは逆の極性に帯電されており、
上記スプレー電極および上記基準電極は、１つの電源によって電気的にバイアスをかけられていることを特徴とする請求項１〜４のいずれか１項に記載の静電噴霧装置。
【請求項６】
静電噴霧される第２の物質に対して電気的に作用することにより、当該第２の物質を静電噴霧する第２スプレー部位をさらに備え、
上記基準電極は、上記第２スプレー部位と電気的に接続可能に配置されており、噴霧時に上記基準電極と上記スプレー電極との間に電圧が印加されたときに、第１スプレー部位から物質が噴霧され、上記第２スプレー部位から上記第２の物質が噴霧されることを特徴とする請求項１〜４のいずれか１項に記載の静電噴霧装置。
【請求項７】
物質を噴霧する第１スプレー部位および第２スプレー部位と、
上記第１スプレー部位と電気的に接続される第１電極と、
上記第２スプレー部位と電気的に接続される第２電極と、
電源装置とを備え、
上記第１スプレー部位および上記第２スプレー部位は、第１および第２リザーバーにそれぞれ貯蔵された、噴霧される物質に対して噴霧時に電気的に作用するように配置されており、
上記第１および第２電極間に電圧が印加されたときに、上記第１リザーバー内の噴霧される物質が上記第１スプレー部位から噴霧され、上記第２リザーバー内の噴霧される物質が上記第２スプレー部位から噴霧され、
上記電源装置は、上記第１電極と上記第２電極との間に電圧を印加することができ、
上記第１または第２スプレー部位から噴霧される物質の電荷が、少なくとも同量の逆の電荷が上記第１または第２スプレー部位においてそれぞれ生成されることにより平衡化されるように、上記第１および第２電極が配置されていることを特徴とする静電噴霧装置。
【手続補正２】
【補正対象書類名】明細書
【補正対象項目名】発明の名称
【補正方法】変更
【補正の内容】
【発明の名称】静電噴霧装置
【手続補正書】
【提出日】平成26年7月24日(2014.7.24)
【手続補正１】
【補正対象書類名】特許請求の範囲
【補正対象項目名】全文
【補正方法】変更
【補正の内容】
【特許請求の範囲】
【請求項１】
網膜疾患を処置するためのスケジュールを作成する網膜処置スケジュール作成装置において、
入力手段によって入力された検査日毎の患者眼網膜の測定データに基づいて測定データに関する時系列データを取得し、該時系列データにおける測定データの変化特性に基づいて将来の測定データに関する時系列データを推定情報として取得する推定情報取得手段と、
推定情報取得手段によって取得された推定情報において測定データが，次回の治療時期を特定するための検査データに関する所定の許容条件を満たす時期を特定することにより、次回の治療時期を検者にガイド情報として出力するためのガイド情報を得るガイド情報取得手段と、
ガイド情報取得手段によって取得されたガイド情報を出力する出力手段と、
を備えることを特徴とする網膜処置スケジュール作成装置。
【請求項２】
網膜処置スケジュール作成装置は、網膜疾患に対する治療薬の投薬スケジュールを作成するための装置であって、
入力手段は、患者眼に対して治療薬が投薬される前から光干渉断層計によって検査された患者眼網膜の網膜厚データ、網膜厚データを得た検査日を入力する入力手段であって、
ガイド情報取得手段は、時系列データにおける網膜厚データの変化特性に基づいて将来の網膜厚データに関する時系列データを推定情報として取得し、
ガイド情報取得手段は、推定情報取得手段によって取得された推定情報において網膜厚データが前記所定の許容条件を満たす時期を特定することにより、次回の投薬時期を検者にガイド情報として出力するためのガイド情報を得る請求項１の網膜処置スケジュール作成装置。
【請求項３】
前記時系列データをグラフとして前記出力手段に出力させる制御手段を有し、該制御手段は、推定情報取得手段によって取得された将来の時系列データを前記グラフに付加して表示する請求項１〜２のいずれかの網膜処置スケジュール作成装置。
【請求項４】
網膜処置スケジュール作成装置は、加齢黄斑変性に対する治療薬の投薬スケジュールを作成するための装置であって、
ガイド情報取得手段は、患者眼に対して治療が施された以後に網膜厚データが上昇に転じた後の網膜厚データの上昇度合に基づいて将来の網膜厚データに関する時系列データを推定情報として取得する請求項１〜３のいずれかの網膜処置スケジュール作成装置。
【請求項５】
網膜処置スケジュール作成装置は、緑内障に対する治療薬の投薬スケジュールを作成するための装置であって、
ガイド情報取得手段は、患者眼に対して治療が施された以後に網膜厚データが下降に転じた後の網膜厚データの減少度合に基づいて将来の網膜厚データに関する時系列データを推定情報として取得する請求項１〜３のいずれかの網膜処置スケジュール作成装置。
【請求項６】
入力手段は、さらに、網膜厚データとは異なる第２検査データと、第２検査データを得た検査日を入力する入力手段であって、
ガイド情報取得手段は、時系列データにおける網膜厚データと第２検査データの変化特性とに基づいて将来の網膜厚データ及び第２検査データに関する時系列データを推定情報として取得し、
ガイド情報取得手段は、推定情報において網膜厚データ及び第２検査データのいずれかが前記所定の許容条件を満たす時期を特定することにより、次回の治療時期を検者にガイド情報として出力するためのガイド情報を得る請求項４〜５のいずれかの網膜処置スケジュール作成装置。
【請求項７】
網膜疾患を処置するためのスケジュールを作成するためにコンピュータを、
検査日毎の測定データに基づいて患者眼網膜の測定データに関する時系列データを取得し、該時系列データにおける測定データの変化特性に基づいて将来の測定データに関する時系列データを推定情報として取得する推定情報取得手段と、
推定情報取得手段によって取得された推定情報において測定データが前記所定の許容条件を満たす時期を特定することにより、次回の治療時期を検者にガイド情報として出力するためのガイド情報を得るガイド情報取得手段と、
ガイド情報取得手段によって取得されたガイド情報を出力する出力手段と、
として機能させることを特徴とする網膜処置スケジュール作成プログラム。
【手続補正２】
【補正対象書類名】明細書
【補正対象項目名】０００８
【補正方法】変更
【補正の内容】
【０００８】
（１）
網膜疾患を処置するためのスケジュールを作成する網膜処置スケジュール作成装置において、
入力手段によって入力された検査日毎の患者眼網膜の測定データに基づいて測定データに関する時系列データを取得し、該時系列データにおける測定データの変化特性に基づいて将来の測定データに関する時系列データを推定情報として取得する推定情報取得手段と、
推定情報取得手段によって取得された推定情報において測定データが，次回の治療時期を特定するための検査データに関する所定の許容条件を満たす時期を特定することにより、次回の治療時期を検者にガイド情報として出力するためのガイド情報を得るガイド情報取得手段と、
ガイド情報取得手段によって取得されたガイド情報を出力する出力手段と、
を備える。
（２）
網膜疾患を処置するためのスケジュールを作成するためにコンピュータを、
検査日毎の測定データに基づいて患者眼網膜の測定データに関する時系列データを取得し、該時系列データにおける測定データの変化特性に基づいて将来の測定データに関する時系列データを推定情報として取得する推定情報取得手段と、
推定情報取得手段によって取得された推定情報において測定データが前記所定の許容条件を満たす時期を特定することにより、次回の治療時期を検者にガイド情報として出力するためのガイド情報を得るガイド情報取得手段と、
ガイド情報取得手段によって取得されたガイド情報を出力する出力手段と、
として機能させる。
【手続補正書】
【提出日】平成26年6月30日(2014.6.30)
【手続補正１】
【補正対象書類名】明細書
【補正対象項目名】０００１
【補正方法】変更
【補正の内容】
【０００１】
本発明は、賭数の設定後にスタート操作部が操作されたことに基づき複数の図柄が描かれた複数のリールを可変表示させてゲームを開始し、停止操作により停止させたゲームの停止結果に基づき遊技価値を付与することが可能なスロットマシンに関する。
【手続補正２】
【補正対象書類名】明細書
【補正対象項目名】０００５
【補正方法】変更
【補正の内容】
【０００５】
しかしながら、特許文献１のような遊技機は、遊技の興趣が低いという問題があった。
【手続補正３】
【補正対象書類名】明細書
【補正対象項目名】０００６
【補正方法】変更
【補正の内容】
【０００６】
また、特許文献２のようなスロットマシンにおいても、遊技の興趣が低いという問題があった。
【手続補正４】
【補正対象書類名】明細書
【補正対象項目名】０００７
【補正方法】変更
【補正の内容】
【０００７】
本発明は、上記のような課題を解決するためになされたものであり、遊技の興趣を高めることのできるスロットマシンの提供を目的とする。
【手続補正５】
【補正対象書類名】明細書
【補正対象項目名】０００８
【補正方法】変更
【補正の内容】
【０００８】
以上の課題を解決するため、請求項１に記載の発明は、
賭数の設定後にスタート操作部が操作されたことに基づき複数の図柄が描かれた複数のリールを可変表示させてゲームを開始し、停止操作により停止させたゲームの停止結果に基づき遊技価値を付与することが可能なスロットマシンにおいて、
前記停止結果を導出表示するための前記複数のリールの有効表示部を背面側から照明することが可能な発光照明手段と、
前記有効表示部の周辺で前記ゲームの進行に関連して明度を変化させてゲーム演出を行うことが可能なゲーム演出手段と、を備え、
前記発光照明手段は、
前記ゲームの停止結果に関連する所定の発光態様で前記複数のリールの有効表示部を背面側から照明することが可能であることを特徴とする。
【手続補正６】
【補正対象書類名】明細書
【補正対象項目名】０００９
【補正方法】変更
【補正の内容】
【０００９】
請求項１に記載の発明によれば、ダイナミックな演出が可能となり遊技の興趣を高めることができる。
【手続補正７】
【補正対象書類名】明細書
【補正対象項目名】００１０
【補正方法】変更
【補正の内容】
【００１０】
請求項２に記載の発明は、請求項１に記載のスロットマシンにおいて、
前記ゲームの実行中に当該ゲームの結果を導出表示するための停止操作を無効とする操作無効状態を発生させることが可能な無効状態発生手段と、
前記無効状態発生手段による前記操作無効状態の発生中に所定の演出を実行することが可能な無効状態中演出手段と、を備え、
前記無効状態中演出手段は、
前記操作無効状態の発生に基づき前記発光照明手段及び前記ゲーム演出手段を暗い状態に変化させて前記有効表示部及び前記有効表示部の周辺を暗転させる暗転演出手段と、
前記暗い状態に変化した前記ゲーム演出手段を部分的に明るい状態に変化させて前記有効表示部の周辺で特定演出を実行可能な特定演出実行手段と、を備えたことを特徴とする。
【手続補正８】
【補正対象書類名】明細書
【補正対象項目名】００１１
【補正方法】変更
【補正の内容】
【００１１】
請求項２に記載の発明によれば、ダイナミックな演出が可能となり遊技の興趣を高めることができる。
【手続補正９】
【補正対象書類名】明細書
【補正対象項目名】００１２
【補正方法】変更
【補正の内容】
【００１２】
請求項３に記載の発明は、請求項２に記載のスロットマシンにおいて、
前記ゲーム演出手段は、
前記有効表示部及び前記有効表示部の周囲を覆うように配設され、少なくとも前記有効表示部を透視可能とする表示器であり、
前記暗転演出手段は、前記表示器のうちの前記有効表示部に対応する領域を透明な状態としたまま、前記表示器のうちの前記有効表示部の周辺に対応する領域を暗転させることを特徴とする。
【手続補正１０】
【補正対象書類名】明細書
【補正対象項目名】００１３
【補正方法】変更
【補正の内容】
【００１３】
請求項３に記載の発明によれば、ダイナミックな演出が可能となり遊技の興趣を高めることができる。
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】変更
【補正の内容】
【００２０】
本発明によれば、遊技の興趣を高めることができる。
【手続補正１８】
【補正対象書類名】特許請求の範囲
【補正対象項目名】全文
【補正方法】変更
【補正の内容】
【特許請求の範囲】
【請求項１】
賭数の設定後にスタート操作部が操作されたことに基づき複数の図柄が描かれた複数のリールを可変表示させてゲームを開始し、停止操作により停止させたゲームの停止結果に基づき遊技価値を付与することが可能なスロットマシンにおいて、
前記停止結果を導出表示するための前記複数のリールの有効表示部を背面側から照明することが可能な発光照明手段と、
前記有効表示部の周辺で前記ゲームの進行に関連して明度を変化させてゲーム演出を行うことが可能なゲーム演出手段と、を備え、
前記発光照明手段は、
前記ゲームの停止結果に関連する所定の発光態様で前記複数のリールの有効表示部を背面側から照明することが可能であることを特徴とするスロットマシン。
【請求項２】
前記ゲームの実行中に当該ゲームの結果を導出表示するための停止操作を無効とする操作無効状態を発生させることが可能な無効状態発生手段と、
前記無効状態発生手段による前記操作無効状態の発生中に所定の演出を実行することが可能な無効状態中演出手段と、を備え、
前記無効状態中演出手段は、
前記操作無効状態の発生に基づき前記発光照明手段及び前記ゲーム演出手段を暗い状態に変化させて前記有効表示部及び前記有効表示部の周辺を暗転させる暗転演出手段と、
前記暗い状態に変化した前記ゲーム演出手段を部分的に明るい状態に変化させて前記有効表示部の周辺で特定演出を実行可能な特定演出実行手段と、を備えたことを特徴とする請求項１に記載のスロットマシン。
【請求項３】
前記ゲーム演出手段は、
前記有効表示部及び前記有効表示部の周囲を覆うように配設され、少なくとも前記有効表示部を透視可能とする表示器であり、
前記暗転演出手段は、前記表示器のうちの前記有効表示部に対応する領域を透明な状態としたまま、前記表示器のうちの前記有効表示部の周辺に対応する領域を暗転させることを特徴とする請求項２に記載のスロットマシン。